(57)【要約】【課題】間欠的に駆動状態に置かれる熱源機の休止中の動作異常などの状態を監視し、信頼性の高い給湯制御を実現する。【解決手段】温水を溜めるタンク（１０）を含む貯湯ユニット（４）と、前記タンクの下層水または給水を加熱し、前記タンクの上層側に補給する温水を生成する第１の熱源機（ヒートポンプ６）と、前記タンクの温水状態により動作させ、前記タンクの下層水、上層水または中層水のうち前記タンクから取り出される少なくとも前記中層水を加熱し、前記タンクの上層側に補給する温水を生成する第２の熱源機（給湯機８）と、少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する制御手段（ハイブリッド制御部５０−１）とを備える。【選択図】図１
2019045145.tif 000002
【特許請求の範囲】
【請求項１】
複数の熱源機を併用して給湯する給湯システムであって、
温水を溜めるタンクを含む貯湯ユニットと、
前記タンクの下層水または給水を加熱し、前記タンクの上層側に補給する温水を生成する第１の熱源機と、
前記タンクの温水状態により動作させ、前記タンクの下層水、上層水または中層水のうち前記タンクから取り出される少なくとも前記中層水を加熱し、前記タンクの上層側に補給する温水を生成する第２の熱源機と、
少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する制御手段と、
を備えることを特徴とする給湯システム。
【請求項２】
さらに、前記制御手段は、所定の時間間隔で定期的に前記第２の熱源機の状態を監視することを特徴とする請求項１に記載の給湯システム。
【請求項３】
さらに、前記制御手段は、前記第２の熱源機の休止が所定時間を超えて継続した場合、前記所定時間を超える休止情報を出力し、
前記情報を契機に前記第２の熱源機により少なくとも滞留水を前記タンクの上層側に流すことを特徴とする請求項１または請求項２に記載の給湯システム。
【請求項４】
前記状態を表す前記情報を提示する情報提示手段を備えることを特徴とする請求項１ないし請求項３のいずれかの請求項に記載の給湯システム。
【請求項５】
さらに前記制御手段は、前記第２の熱源機の異常を検知した場合、前記第１の熱源機に制御状態を変更する制御情報を出力することを特徴とする請求項１ないし請求項４のいずれかの請求項に記載の給湯システム。
【請求項６】
複数の熱源機を併用して給湯する給湯システムに搭載されるコンピュータで実行するためのプログラムであって、
少なくとも貯湯ユニットに含まれるタンクに溜められている下層水または給水を第１の熱源機を用いて加熱し、前記タンクの上層側に補給する温水を生成する機能と、
前記タンクの温水状態により第２の熱源機を動作させ、前記タンクの下層水、上層水または中層水のうち前記タンクから取り出される少なくとも前記中層水を加熱し、前記タンクの上層側に補給する温水を生成する機能と、
少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する機能と、
を前記コンピュータに実現させるための給湯プログラム。
【請求項７】
複数の熱源機を併用して給湯する給湯方法であって、
少なくとも貯湯ユニットに含まれるタンクに温水を溜める工程と、
前記タンクの下層水または給水を第１の熱源機により加熱し、前記タンクの上層側に補給する温水を生成する工程と、
前記タンクの温水状態により第２の熱源機を動作させ、前記タンクの下層水、上層水または中層水のうち前記タンクから取り出される少なくとも前記中層水を加熱し、前記タンクの上層側に補給する温水を生成する工程と、
少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する工程と、
を含むことを特徴とする給湯方法。
【発明の詳細な説明】
【技術分野】
【０００１】
本発明はたとえば、電熱を利用するヒートポンプや、燃料ガスなどの燃焼熱を利用する給湯機など、複数の熱源機を併用するハイブリッド給湯技術に関する。
【背景技術】
【０００２】
複数の熱源機を用いるハイブリッド給湯システムとしてヒートポンプを熱源とする主たる給湯手段と、燃焼熱を利用した補助給湯手段とを併用して給湯するハイブリッド給湯システムが知られている（たとえば、特許文献１）。
【０００３】
このハイブリッド給湯システムでは、ヒートポンプを熱源とする高効率の給湯手段の稼働率を高め、補助給湯手段を補助的に運転することで、運転の高効率化を図っている。
【先行技術文献】
【特許文献】
【０００４】
【特許文献１】特開２０１１−１７４６８号公報
【発明の概要】
【発明が解決しようとする課題】
【０００５】
このような給湯システムでは、高効率の給湯手段の稼働率が支配的となり、継続的な給湯を行うので、たとえば、１日の給湯消費相当量の貯湯量に満たない貯湯タンクで貯湯量を充当するなど、タンクの少容量化や加熱効率の高いヒートポンプを有効に利用できる給湯システムを実現できる利点がある。
【０００６】
このような複数の熱源機を併用する給湯システムでは、優先的に稼働状態とする稼働率の高い熱源機に対して稼働率の低い熱源機では、長期間に亘って休止状態となる場合がある。休止中の熱源機が自然的な損耗などで故障すると、補助的な使用時に稼働できないという課題がある。しかも、休止中の熱源機から異常の通知を受けることができず、起動時に異常を検知しても、給湯需要に応じることができないという課題がある。
【０００７】
休止中の熱源機側には該熱源機や、該熱源機および貯湯タンクの間に設置された管路に残った滞留水を処理することができないという課題がある。
【０００８】
そこで、本発明の第１の目的は上記課題に鑑み、間欠的に駆動状態に置かれる熱源機の休止中の動作異常などの状態を監視し、信頼性の高い給湯制御を実現することにある。
【０００９】
また、本発明の第２の目的は上記課題に鑑み、間欠的に駆動状態に置かれる熱源機や該熱源機側管路に滞留する水の滞留時間を短縮化することにある。
【課題を解決するための手段】
【００１０】
上記目的を達成するため、本発明の給湯システムの一側面によれば、複数の熱源機を併用して給湯する給湯システムであって、温水を溜めるタンクを含む貯湯ユニットと、前記タンクの下層水または給水を加熱し、前記タンクの上層側に補給する温水を生成する第１の熱源機と、前記タンクの温水状態により動作させ、前記タンクの下層水、上層水または中層水のうち前記タンクから取り出される少なくとも前記中層水を加熱し、前記タンクの上層側に補給する温水を生成する第２の熱源機と、少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する制御手段とを備えればよい。
【００１１】
この給湯システムにおいて、さらに、前記制御手段は、所定の時間間隔で定期的に前記第２の熱源機の状態を監視してよい。
【００１２】
この給湯システムにおいて、さらに、前記制御手段は、前記第２の熱源機の休止が所定時間を超えて継続した場合、前記所定時間を超える休止情報を出力し、前記情報を契機に前記第２の熱源機により少なくとも滞留水を前記タンクの上層側に流してよい。
【００１３】
この給湯システムにおいて、前記状態を表す前記情報を提示する情報提示手段を備えてよい。
【００１４】
この給湯システムにおいて、さらに前記制御手段は、前記第２の熱源機の異常を検知した場合、前記第１の熱源機に制御状態を変更する制御情報を出力してよい。
【００１５】
上記目的を達成するため、本発明の給湯プログラムの一側面によれば、複数の熱源機を併用して給湯する給湯システムに搭載されるコンピュータで実行するためのプログラムであって、少なくとも貯湯ユニットに含まれるタンクに溜められている下層水または給水を第１の熱源機を用いて加熱し、前記タンクの上層側に補給する温水を生成する機能と、前記タンクの温水状態により第２の熱源機を動作させ、前記タンクの下層水、上層水または中層水のうち前記タンクから取り出される少なくとも前記中層水を加熱し、前記タンクの上層側に補給する温水を生成する機能と、少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する機能とを前記コンピュータに実現させればよい。
【００１６】
上記目的を達成するため、本発明の給湯方法の一側面によれば、複数の熱源機を併用して給湯する給湯方法であって、少なくとも貯湯ユニットに含まれるタンクに温水を溜める工程と、前記タンクの下層水または給水を第１の熱源機により加熱し、前記タンクの上層側に補給する温水を生成する工程と、前記タンクの温水状態により第２の熱源機を動作させ、前記タンクの下層水、上層水または中層水のうち前記タンクから取り出される少なくとも前記中層水を加熱し、前記タンクの上層側に補給する温水を生成する工程と、少なくとも前記第２の熱源機を制御するとともに、前記第１の熱源機側の独自の動作モードを許容し、または前記第２の熱源機に優先する前記第１の熱源機の稼働中、または前記第１の熱源機の停止中に、前記第２の熱源機を所定の時間間隔で定期的に動作させる動作モードを実行する工程とを含めばよい。
【発明の効果】
【００１７】
本発明によれば、次のいずれかの効果が得られる。
(1) 優先的かつ連続的に稼働状態となる第１の熱源機に対し、稼働状態と停止状態を繰り返す第２の熱源機の休止中の状態を監視し、その状態情報を出力するので、休止状態にある第２の熱源機の故障を発見でき、稼働前にメンテナンスなど補完的な対応を行うことができる。
【００１８】
(2) 休止中に故障した第２の熱源機が稼働開始まで放置されることを回避でき、稼働前に必要な対応の迅速化を図ることができるとともに、稼働の際、故障中の第２の熱源機を補完する処理およびその迅速化が可能となり、給湯システムの信頼性を高めることができる。
【００１９】
(3) 給湯需要の変化に第２の熱源機を対応させることができないという異常事態を回避できる。
【００２０】
(4) 休止中の熱源機の状態監視に熱源機の動作確認をすることで、温水循環の機会が増加し、熱源機や熱源機側の管路に滞留する水の滞留時間を短縮することができる。
【図面の簡単な説明】
【００２１】
【図１】一実施の形態に係るハイブリッド給湯システムを示す図である。
【図２】状態監視の処理手順の一例を示すフローチャートである。
【図３】貯湯ユニットのタンクの一例を示す図である。
【図４】第１実施例に係るハイブリッド給湯システムを示す図である。
【図５】ハイブリッド制御部の一例を示す図である。
【図６】ヒートポンプ制御部、給湯機制御部およびリモコン制御部の一例を示す図である。
【図７】データコードの構成例を示す図である。
【図８】データコードおよび状態データの構成例を示す図である。
【図９】ハイブリッド制御処理のメインルーチンを示すフローチャートである。
【図１０】給湯制御の処理手順を示すフローチャートである。
【図１１】連係制御の処理手順を示すフローチャートである。
【図１２】給湯機の状態監視の処理手順を示すフローチャートである。
【図１３】ヒートポンプ蓄熱制御の処理手順を示すフローチャートである。
【図１４】給湯機の蓄熱制御の処理手順を示すフローチャートである。
【図１５】故障診断に関する状態遷移を示す図である。
【図１６】故障診断の処理手順を示すフローチャートである。
【図１７】蓄熱モードの切り替えを示す図である。
【図１８】第２実施例に係る給湯機の状態監視の処理手順を示すフローチャートである。
【図１９】第３実施例に係る給湯機の状態監視の処理手順を示すフローチャートである。
【図２０】第４実施例に係る給湯機の蓄熱制御の処理手順を示すフローチャートである。
【発明を実施するための形態】
【００２２】
図１は、本発明の一実施の形態に係るハイブリッド給湯システムを示している。図１に示す構成は一例であり、本発明が斯かる構成に限定されるものではない。
【００２３】
このハイブリッド給湯システム（以下単に「給湯システム」と称する）２には、貯湯ユニット４、優先的かつ連続的に稼働させる第１の熱源機としてたとえば、ヒートポンプ（以下「ＨＰ」と称する）６、稼働状態と停止状態を繰り返し第１の熱源機による蓄熱動作を補完する第２の熱源機としてたとえば、給湯機８が備えられる。
【００２４】
貯湯ユニット４には、貯湯タンク（以下、単に「タンク」と称する）１０が備えられる。このタンク１０は温水ＨＷを溜めるタンクの一例である。このタンク１０は下層側に上水Ｗの給水を受け、上層側にＨＰ６および給湯機８のいずれか一方または双方により加熱された温水ＨＷを貯湯し、給湯需要に応じて温水ＨＷを上層側より給湯する。
【００２５】
この貯湯ユニット４には稼働状態と休止状態を繰り返す給湯機８の少なくとも休止中の状態を監視する制御手段の一例である状態監視手段１２が備えられる。状態監視手段１２が稼働中の給湯機８の状態を監視することを含んでよい。この状態監視手段１２は貯湯ユニット４に搭載されるたとえば、ハイブリッドコントローラ（ＨＣＵ）などのコンピュータで構成すればよい。この状態監視手段１２は通信機能を備え、ＨＰ６および給湯機８と有線または無線で連係してＨＰ６および給湯機８の状態を監視し、少なくとも休止中の給湯機８の状態を表す情報を出力する。この状態監視手段１２から得られる状態情報は、状態表示手段１３に提供され、文字や図形などによる表示情報やアラーム音などの音声情報で提示すればよい。この情報表示手段１３は、貯湯ユニット４の外部機器であるリモコン装置や貯湯ユニット４内の表示部などで構成すればよい。
【００２６】
ＨＰ６は、給湯機８に優先して稼働させ、タンク１０から取り出された下層水を加熱する。このＨＰ６より得られる温水ＨＷはタンク１０の上層側に戻され、タンク１０に溜められる。一方、給湯機８はＨＰ６による加熱量を補助する加熱源として機能させ、ＨＰ６の単独運転では給湯需要に対して不足する熱量を補填する。この例では、タンク１０から取り出し可能な下層水、上層水または中層水のうち、その一例である中層水を加熱し、給湯機８より得られる温水ＨＷがタンク１０の上層側に戻され、蓄熱される。
【００２７】
係る構成では、ＨＰ６および給湯機８によって加熱された温水ＨＷをタンク１０に貯湯し、給湯需要に応じた給湯が行える。たとえば、タンク１０の下層側温度に基づき、ＨＰ６を動作させ、タンク１０の上層側温度に基づき、給湯機８を動作させる。
【００２８】
常時、ＨＰ６を動作させ、このＨＰ６の加熱能力に応じてタンク１０の温水ＨＷを蓄熱する。給湯需要が増大し、温水ＨＷの上層側温度が低下した場合には給湯機８を動作させ、この給湯機８による加熱を併用することによって温水ＨＷの温度を上昇させる。つまり、ＨＰ６の加熱能力の不足分が給湯機８の加熱能力によって補完され、給湯需要に応じる。
【００２９】
また、給湯需要がないためにタンク１０内の貯湯水に温度分布を生じる場合がある。つまり、給湯需要がないために上層側温度が低下した場合にも給湯機８を動作させ、給湯機８の加熱によって温水ＨＷの温度を上昇させる。これにより、通常時の給湯需要を遙かに凌ぐ急激な給湯需要にも即応することができ、ＨＰ６の加熱能力の不足分が給湯機８の動作によって補完される。
【００３０】
このように給湯機８の補完機能を利用すれば、ＨＰ６の加熱能力を補うことができるので、給湯需要を超える貯湯容量を確保するためのタンク１０の大容量化を防止でき、タンク１０の貯湯容量を低くでき、小型化を図ることができる。しかも、タンク１０の貯湯容量を低減した場合に、給湯需要の増減によるＨＰ６の加熱能力の不足が給湯機８の加熱能力を以て緩衝することができる。
【００３１】
このような給湯機８の補完機能は、タンク１０の容量を小さくすればするほど重要となる。そこで、状態監視手段１２では、停止中の給湯機８の状態を監視し、異常があれば、その情報提示を行い、給湯需要に即応可能にメンテナンスの迅速化を図る。給湯機８の状態監視は、給湯機８からの異常信号の取得、循環系統の異常などが含まれる。
【００３２】
図２は、状態監視手段１２の状態監視の処理手順を示している。この処理手順は、本発明の給湯方法、給湯プログラムの動作の一例である。
【００３３】
この処理手順では、ＨＰ６が稼働中の判定をする（Ｓ１０１）。ＨＰ６が稼働中であれば（Ｓ１０２のＹＥＳ）、給湯機８の休止中の判定を行う（Ｓ１０３）。
【００３４】
給湯機８が休止中であれば（Ｓ１０４のＹＥＳ）、給湯機８の状態監視を実行する（Ｓ１０５）。
【００３５】
この状態監視モードに入ると、給湯機８側の状態情報の取得（Ｓ１０６）を行い、状態情報の判断（Ｓ１０７）を行う。この状態情報の判断により、給湯機８側が正常であるか否かを判断し、正常情報または異常情報が得られる。
【００３６】
この判断の後、正常か異常かの判定結果を含む状態情報の提示（Ｓ１０８）を行う。この情報提示は情報表示手段１３により文字や図形などの情報やアラーム音などの音声情報で行えばよい。これにより状態が告知され、異常であれば、改修処理を行えばよい。
【００３７】
また、状態情報をＨＰ６側に出力する他の処理を実行し（Ｓ１０９）、Ｓ１０１に戻る。状態情報を受信したＨＰ６側では、給湯機８の状態に応じた制御、給湯機８が休止中となるために不足する熱量を補完する処理を行えばよい。
【００３８】
＜一実施の形態の効果＞
上記実施の形態によれば、次のような効果が得られる。
【００３９】
(1) 優先的かつ連続的に稼働状態となるＨＰ６に対し、稼働状態と停止状態を繰り返す給湯機８の休止中の状態が監視され、その状態情報が出力されるので、休止状態にある給湯機８の故障を発見でき、給湯機８が休止状態を継続することによる不都合を事前に回避でき、給湯機８の稼働前にメンテナンスなど補完的な対応を行うことができる。
【００４０】
(2) 休止中に故障した給湯機８が稼働開始まで放置されることを回避でき、稼働前に必要な対応の迅速化を図ることができる。
【００４１】
(3) ＨＰ６側で故障中の給湯機８を補完する処理およびその迅速化が可能となり、給湯システムの信頼性を高めることができる。
【００４２】
(4) 給湯需要の変化に給湯機８を対応させることができないという異常事態を回避または軽減できる。
【００４３】
(5) 休止中の給湯機８の状態監視で給湯機８の動作確認により、温水循環の機会が増加し、給湯機８や給湯機８側の管路に滞留する水の滞留時間を短縮でき、水の劣化を防止できる。
【実施例】
【００４４】
〔第１実施例〕
図３は、第１実施例に係る給湯システムに用いられるタンクの一例を示している。このタンク１０はたとえば、長大な円筒状容器であり、タンク容量はたとえば、９０〔リットル〕程度である。この値は一例であり、この値に限定されるものではない。
【００４５】
このタンク１０には、上層側の最上部に出湯ポート１４−１、底部に給水ポート１４−２が備えられ、さらに、底部に水流出ポート１４−３、中層部に水流出ポート１４−４、上層側の出湯ポート１４−１と並んで温水戻しポート１４−５、１４−６が備えられる。
【００４６】
出湯ポート１４−１は、タンク１０から温水ＨＷを貯湯水の上層部より出湯させる。この出湯に連動し、タンク１０に給水が行われる。給水ポート１４−２は給水口の一例であり、この給水ポート１４−２からタンク１０内に上水Ｗが給水される。これにより、タンク１０には所定量の貯湯水が維持される。
【００４７】
水流出ポート１４−３は第１の水流出口の一例であり、この水流出ポート１４−３から下層水を流出させ、ＨＰ６で加熱する。このＨＰ６で得られる温水ＨＷは温水戻しポート１４−５よりタンク１０の上層部に戻される。
【００４８】
水流出ポート１４−４は第２の流出口の一例であり、この水流出ポート１４−４から中層水を流出させ、給湯機８で加熱する。この給湯機８で得られた温水ＨＷは温水戻しポート１４−６よりタンク１０の上層部に戻される。
【００４９】
このように、タンク１０の上層側から給湯するとともに下層側から給水し、加熱後の温水ＨＷは上層側に戻されるので、貯湯水の温度分布は下層側から上層側に向かって高温となる複数階層の蓄熱領域が構築される。この実施の形態では、９層の蓄熱領域を想定している。破線は仮想した蓄熱領域Ｉ、II、III ・・・IXを示している。
【００５０】
そして、このタンク１０には、最下層側に第１の邪魔板１６−１、最上層側に第２の邪魔板１６−２が配置されている。邪魔板１６−１は上に凸となる湾曲形状であり、邪魔板１６−２は下に凸となる湾曲形状である。したがって、邪魔板１６−１は蓄熱領域Ｉ側の給水による階層蓄熱の乱れを防止し、邪魔板１６−２は出湯、温水戻しによる蓄熱領域IX側の階層蓄熱の乱れを防止する。つまり、邪魔板１６−１、１６−２は階層蓄熱領域の防護手段であって、これによりタンク１０内に安定した蓄熱領域が確保される。
【００５１】
このタンク１０には複数の温度センサとして４組の温度センサ１８−１、１８−２、１８−３、１８−４が配置されている。温度センサ１８−４は貯湯タンク１０の下層側温度を検出する第１の温度センサの一例である。温度センサ１８−１はその上層側温度を検出する第２の温度センサの一例であり、温度センサ１８−２はその中層側温度を検出する第３の温度センサの一例である。
【００５２】
温度センサ１８−１では給湯機８の加熱開始温度を計測する。この温度センサ１８−１では、ＨＰ６や給湯機８からの温水戻しによる温水ＨＷの熱の影響を受けない蓄熱領域VIIIと蓄熱領域IXの境界部温度を計測している。
【００５３】
温度センサ１８−２では給湯機８の加熱停止温度を計測する。この例では、水流出ポート１４−４が蓄熱領域VIと蓄熱領域VII の境界部に配置されている。温度センサ１８−２では、水流出ポート１４−４より上側としてたとえば、蓄熱領域VIと蓄熱領域VII の境界部より上側温度を計測している。
【００５４】
温度センサ１８−３では蓄熱状態の温度計測を行う。この例ではたとえば、蓄熱領域IVと蓄熱領域Ｖの境界部温度を計測している。
【００５５】
温度センサ１８−４ではＨＰ６の加熱開始温度を計測する。この例では蓄熱領域III と蓄熱領域IIの境界部温度を計測している。
【００５６】
このタンク１０には邪魔板１６−１、１６−２を備えたことにより、上層部ＤＨの蓄熱領域IXでは給湯機８からの温水戻りによる温水の乱れを考慮し、ある程度の蓄熱量が確保される。下層部ＤＬの蓄熱領域Ｉ、IIでは短時間内でＨＰ６の発停が繰り返されない蓄熱状態が確保されている。また、中上層部ＤＭの蓄熱領域VII 、VIIIは短時間内で給湯機８の発停が繰り返されない蓄熱状態が確保される。
【００５７】
なお、複数の温度センサとして上層温度から下層温度の定点測定のため、４組の温度センサ１８−１、１８−２、１８−３、１８−４が配置されているが、５組以上の温度センサを備えてもよい。上層温度から下層温度を５組以上で定点測定すれば、より細密な温度分布を測定し、表示することが可能である。
【００５８】
図４は、第１実施例に係る給湯システム２を示している。
貯湯ユニット４は、ＨＰ６または給湯機８と共通の筐体を備えてもよいし、別個の筐体を備えてもよい。この筐体には温度センサ１８−５が備えられる。この温度センサ１８−５は、筐体内で外気温度を検出する。
【００５９】
タンク１０の出湯ポート１４−１には出湯路２０−１が接続され、この出湯路２０−１からタンク１０の上層水が給湯の需要箇所に給湯される。この需要箇所にはたとえば、給湯栓が備えられ、この給湯栓を開くことにより、出湯が開始される。この出湯路２０−１には、タンク１０側（上流側）より下流側に向かって加圧逃がし弁２２−１、温度センサ１８−６、１８−７、混合水制御弁２３−１が備えられる。この出湯路２０−１にはバイパス路２０−３が分岐され、給水路２０−２側に接続されている。混合水制御弁２３−１は、バイパス路２０−３、混合規制弁２３−１１およびミキシング弁２３−１２を備える単一ユニットで構成されている。
【００６０】
加圧逃がし弁（バキュームブレーカー内蔵）２２−１は出湯路２０−１を通してタンク１０の加圧状態を外気に放出させるほか、負圧破壊弁の機能を果たす。温度センサ１８−６は、タンク１０からの出湯水の出湯温度を検出する。温度センサ１８−７は、バイパス路２０−３からの上水Ｗと温水ＨＷとの混合水の温度を検出する。混合水制御弁２３−１は、出湯する混合水の流量を開度によって規制する。
【００６１】
タンク１０の給水ポート１４−２には給水路２０−２が接続され、タンク１０からの出湯に応じて上水Ｗが給水される。この給水路２０−２には上水Ｗの上流側より下流側に向かって温度センサ１８−８、水量センサ２４−１、減圧弁２２−３、給水逆止弁２２−４、ミキシング弁２３−１２およびタンク逆止弁２２−６が備えられる。温度センサ１８−８は上水Ｗの給水温度を検出する。減圧弁２２−３は上水圧の減圧に用いられる。給水逆止弁２２−４は、上水Ｗの水源側との縁切り手段の一例であり、たとえば断水時、給水上流側が負圧となった場合、貯湯タンク１０が急激な負圧にならないように機能する。水量センサ２４−１は給湯時の水流、給湯または給水流量を検出する。ミキシング弁２３−１２は開度に応じてバイパス路２０−３側に流す上水量を調整する。このバイパス路２０−３側への上水量の調整により混合水温度が所定の出湯温度に調整される。タンク逆止弁２２−６はタンク１０から温水ＨＷ側への逆流を阻止する。
【００６２】
水流出ポート１４−３および温水戻しポート１４−５には第１の循環路としてヒートポンプ循環路（以下、単に「循環路」と称する）２６が接続され、ＨＰ６が接続されている。この循環路２６の往き管２６−１側にＨＰポンプ２８−１および温度センサ１８−９、その戻り管２６−２に温度センサ１８−１０および加熱水切替弁２２−７が備えられる。往き管２６−１と戻り管２６−２には加熱水切替弁２２−７を介してバイパス路２６−３が形成されている。タンク１０の貯湯水を加熱する際、ＨＰポンプ２８−１を駆動し、タンク１０の下層水を流出させて循環路２６からＨＰ６に循環させる。往き管２６−１、戻り管２６−２に付された矢印は循環水の循環方向を示している。
【００６３】
温度センサ１８−９はタンク１０から流出した下層水の温度を検出する。温度センサ１８−１０はＨＰ６で加熱された温水ＨＷの温度を検出する。加熱水切替弁２２−７は、タンク１０の貯留水の加熱時、戻り管２６−２の温水ＨＷを温水戻しポート１４−５に流し、タンク１０の貯留水の非加熱時、戻り管２６−２の温水ＨＷを往き管２６−１側に切り替える。
【００６４】
水流出ポート１４−４と温水戻しポート１４−６には第２の循環路として給湯機循環路（以下、単に「循環路」と称する）３０が接続され、給湯機８が接続されている。この循環路３０の往き管３０−１側に給湯ポンプ２８−２が備えられる。タンク１０の貯湯水を加熱する際、給湯ポンプ２８−２を駆動し、タンク１０の中層水を流出させて給湯機８に循環させる。戻り管３０−２には温度センサ１８−１１およびバルブ２２−８が備えられる。温度センサ１８−１１は給湯機８から貯湯ユニット４に戻される温水の温度を検出する。バルブ２２−８は戻り管３０−２から温水戻しポート１４−６に戻す温水ＨＷと往き管３０−１側との切り替えに用いられる。
【００６５】
ＨＰ６にはＨＰ回路３２、ＨＰ熱交換器３４および温度センサ１８−１２、１８−１３が含まれる。
【００６６】
ＨＰ回路３２には冷媒としてたとえば、ＣＯ2 が循環する。ＨＰ熱交換器３４は、ＨＰ回路３２に循環する冷媒と循環路２６側の循環水との熱交換を行い、冷媒の熱で循環水を加熱する。温度センサ１８−１２は、ＨＰ熱交換器３４の熱交換前の循環水の温度、つまり、貯湯ユニット４の出側の循環水の温度を検出する。温度センサ１８−１３は、ＨＰ熱交換器３４の熱交換後の循環水の温度、つまり、貯湯ユニット４の入側の循環水の温度を検出する。
【００６７】
ＨＰ回路３２にはたとえば、ＨＰ熱交換器３４、内部熱交換器３６、空気熱交換器３８、コンプレッサ４０、膨張弁２２−９、温度センサ１８−１４、１８−１５、１８−１６を備えるＣＯ2 冷媒サイクルが用いられる。空気熱交換器３８ではファン４４を回転させ、大気からの冷媒に吸熱させ、コンプレッサ４０では電力により冷媒の圧縮を行う。内部熱交換器３６は、圧縮前後で冷媒の熱交換を行う。温度センサ１８−１４は空気熱交換器３８の出側の冷媒温度を検出し、温度センサ１８−１５はコンプレッサ４０の出側の冷媒温度を検出する。温度センサ１８−１６は、ＨＰ６に取り込まれる空気温度、つまり吸熱後外気温度を検出する。
【００６８】
給湯機８には往き管３０−１、戻り管３０−２によりタンク１０が接続されており、給湯ポンプ２８−２を動作させることにより、タンク１０の中層水を循環させる。往き管３０−１、戻り管３０−２に付された矢印は循環水の循環方向を示している。循環路３０の循環水を加熱する熱交換器として一次熱交換器４６−１、二次熱交換器４６−２が備えられる。一次熱交換器４６−１では、バーナ４８の燃焼排気と循環路３０の循環水との熱交換を行い、循環水を加熱する。二次熱交換器４６−２では、一次熱交換器４６−１による熱交換前の循環水とバーナ４８の燃焼排気の潜熱とを熱交換し、一次熱交換器４６−１の熱交換前の循環水の先行加熱を行う。バーナ４８には燃料ガスを燃焼させるバーナを用いればよいが、燃料に灯油などの液体燃料や固体燃料を用いるバーナを用いてもよい。
【００６９】
一次熱交換器４６−１および二次熱交換器４６−２は直列管路により接続されており、二次熱交換器４６−２の入側には循環路３０の往き管３０−１、一次熱交換器４６−１の出側に戻り管３０−２が接続されている。一次熱交換器４６−１の出側と二次熱交換器４６−２の入側には混合水制御弁２３−２が備えられる。この混合水制御弁２３−２は混合水規制弁２３−２１、ミキシング弁２３−２２およびバイパス路３０−３を備える単一ユニットである。バイパス路３０−３は戻り管３０−２を分岐し、ミキシング弁２３−２２および混合水規制弁２３−２１を介して往き管３０−１に接続されている。ミキシング弁２３−２２は、開度に応じて往き管３０−１からバイパス路３０−３を通って戻り管３０−２に循環水を循環させ、混合水制御弁２３−２は熱交換前後の混合による循環水の流量を開度によって規制する。
【００７０】
往き管３０−１側には温度センサ１８−１７、水量センサ２４−２が備えられている。温度センサ１８−１７はタンク１０から二次熱交換器４６−２に入る循環水の温度を検出する。水量センサ２４−２は循環水の有無、循環流量を検出する。
【００７１】
戻り管３０−２側には温度センサ１８−１８、１８−１９が備えられている。温度センサ１８−１８は熱交換後の循環水の温度を検出する。温度センサ１８−１９は、戻り管３０−２側の混合水温度つまり、給湯機８からタンク１０に戻る循環水の温度を検出する。
【００７２】
そして、貯湯ユニット４にはハイブリッド制御部５０−１が備えられ、このハイブリッド制御部５０−１にはリモコン装置５２が有線または無線により接続されている。ハイブリッド制御部５０−１は既述の状態監視手段１２の一例であり、貯湯ユニット４の貯湯制御部を兼用するとともに、ＨＰ６および給湯機８の制御部に対してマスター機能を持っている。このハイブリッド制御部５０−１は、貯湯ユニット４に搭載されるタンク制御を司るコンピュータで実現すればよい。
【００７３】
＜制御系統＞
図５および図６は、給湯システム２の制御系統の一例を示している。この制御系統には、ハイブリッド制御部５０−１、ヒートポンプ（ＨＰ）制御部５０−２、給湯機制御部５０−３およびリモコン制御部５０−４が含まれる。
【００７４】
ハイブリッド制御部５０−１にはプロセッサ５４−１、メモリ部５６−１、システム通信部５８−１および入出力部（Ｉ／Ｏ）６０−１が備えられる。プロセッサ５４−１は、メモリ部５６−１に格納されたプログラムを実行し、貯湯ユニット４の機能制御、情報表示などの情報処理、状態監視手段１２の機能を実現するための処理を行う。メモリ部５６−１には、プログラムや情報処理によって得られる制御情報が格納される。このメモリ部５６−１にはハードディスクや半導体メモリなどの記録媒体を用いればよく、この記録媒体には不揮発性メモリを用いればよい。このメモリ部５６−１にはＲＯＭ（Read-Only Memory）やＲＡＭ（Random-Access Memory）が含まれる。
【００７５】
システム通信部５８−１はプロセッサ５４−１の制御により、ＨＰ制御部５０−２、給湯機制御部５０−３およびリモコン制御部５０−４と通信ケーブル６２により連係され、各部間の制御情報の送受を担当する。通信ケーブル６２は単一線で例示しているが実際にはＨＰ制御部５０−２、給湯機制御部５０−３およびリモコン制御部５０−４の３系統の通信回路を構成している。
【００７６】
Ｉ／Ｏ６０−１には複数の温度センサ１８−１、１８−２・・・１８−１２、水量センサ２４−１から検出信号が取り込まれる。このＩ／Ｏ６０−１から制御出力がＨＰポンプ２８−１、給湯ポンプ２８−２などの機能部に出力される。
【００７７】
ＨＰ制御部５０−２は図６に示すように、ＨＰ６に備えられ、ＨＰ６の機能部を制御する。給湯機制御部５０−３は給湯機８に備えられ、各部検出温度に基づき、ミキシング弁２３−２２を含む各機能部を制御する。リモコン制御部５０−４はリモコン装置５２に備えられ、ハイブリッド制御部５０−１、ＨＰ制御部５０−２および給湯機制御部５０−３と連係し、各制御部に対する指示や各制御部からの情報表示などの制御を行う。
【００７８】
ＨＰ制御部５０−２は図６に示すように、コンピュータによって構成され、プロセッサ５４−２、メモリ部５６−２、システム通信部５８−２およびＩ／Ｏ６０−２が備えられる。プロセッサ５４−２は、メモリ部５６−２に格納されたプログラムを実行し、ＨＰ６の機能制御などの情報処理を行う。メモリ部５６−２にはプログラムや、情報処理によって得られる制御情報が格納される。このメモリ部５６−２にはハードディスクや半導体メモリなどの記録媒体を用いればよく、この記録媒体には不揮発性メモリを用いればよい。このメモリ部５６−２にはＲＯＭやＲＡＭが含まれる。
【００７９】
システム通信部５８−２はプロセッサ５４−２の制御により、ハイブリッド制御部５０−１、給湯機制御部５０−３およびリモコン制御部５０−４と通信ケーブル６２により連係され、各部間の制御情報の送受を担当する。
【００８０】
Ｉ／Ｏ６０−２には複数の温度センサ１８−１１などから検出信号が取り込まれる。このＩ／Ｏ６０−２から制御出力がＨＰ６の機能部に出力される。
【００８１】
給湯機制御部５０−３はコンピュータによって構成され、プロセッサ５４−３、メモリ部５６−３、システム通信部５８−３およびＩ／Ｏ６０−３が備えられる。プロセッサ５４−３は、メモリ部５６−３に格納されたプログラムを実行し、給湯機８の機能制御などの情報処理を行う。メモリ部５６−３には、プログラムや情報処理によって得られる制御情報が格納される。このメモリ部５６−３にはハードディスクや半導体メモリなどの記録媒体を用いればよく、この記録媒体には不揮発性メモリを用いればよい。このメモリ部５６−３にはＲＯＭやＲＡＭが含まれる。
【００８２】
システム通信部５８−３はプロセッサ５４−３の制御により、ハイブリッド制御部５０−１、ＨＰ制御部５０−２およびリモコン制御部５０−４と通信ケーブル６２により連係され、各部間の制御情報の送受を担当する。
【００８３】
Ｉ／Ｏ６０−３には複数の温度センサ１８−１７・・・、水量センサ２４−２などから検出信号が取り込まれる。このＩ／Ｏ６０−３から制御出力が給湯機８の機能部に出力される。
【００８４】
リモコン制御部５０−４はコンピュータによって構成され、プロセッサ５４−４、メモリ部５６−４、システム通信部５８−４およびＩ／Ｏ６０−４が備えられる。プロセッサ５４−４はメモリ部５６−４に格納されたプログラムを実行し、リモコン装置５２の機能制御や表示制御などの情報処理を行う。メモリ部５６−４にはプログラムや、情報処理によって得られる制御情報が格納される。このメモリ部５６−４にはハードディスクや半導体メモリなどの記録媒体を用いればよく、この記録媒体には不揮発性メモリを用いればよい。このメモリ部５６−４にはＲＯＭやＲＡＭが含まれる。
【００８５】
システム通信部５８−４はプロセッサ５４−４に制御され、ハイブリッド制御部５０−１、ＨＰ制御部５０−２および給湯機制御部５０−３と通信ケーブル６２により連係され、各部間の制御情報の送受を担当する。
【００８６】
Ｉ／Ｏ６０−４には入力スイッチ（ＳＷ）６４、操作表示部６６、情報表示部６８などが接続されている。ＳＷ６４は操作入力部の一例であり、電源投入、設定温度の入力などを行う。操作表示部６６には、入力情報やリモコン装置５２で受けた貯湯ユニット４、ＨＰ６または給湯機８から受けた制御情報や警告情報を表示する。この表示はたとえば、画像によって表示される。情報表示部６８は状態監視結果を表示する表示手段１３（図１）の一例であり、たとえばＬＣＤ（Liquid Crystal Display）緊急時の表示や、駆動中を点灯によって表示するなどの表示機能を果たす。操作表示部６６にはたとえば、タッチセンサを用いればよい。
【００８７】
＜送受信データ＞
図７のＡは、給湯機８の給湯機制御部５０−３からハイブリッド制御部５０−１に送信されるデータコードの一例を示している。
【００８８】
このデータコード７０−１は、発信元から発信先に送信される発信元の状態情報を表す。このデータコード７０−１では、発信元コード７０−１１、発信先コード７０−１２、送信コード７０−１３、運転ＳＷコード７０−１４、給湯コード７０−１５が含まれる。発信元コード７０−１１は、このデータコード７０−１の発信源のたとえば、給湯機８の識別コードを表す。発信先コード７０−１２は、このデータコード７０−１の到達先のたとえば、貯湯ユニット４の識別コードを表す。送信コード７０−１３は正常、異常、アラームなどのステータスコードを表す。運転ＳＷコード７０−１４は、運転ＳＷのオンまたはオフを表す。給湯コード７０−１５は、給湯停止中か給湯運転中かを表す。
【００８９】
図７のＢは、ハイブリッド制御部５０−１で処理されたデータコードの一例を示している。
【００９０】
このデータコード７０−２は、発信元から発信先に送信される発信元の状態情報から抽出されたたとえば、給湯機８の状態情報を表す。このデータコード７０−２では、発信元コード７０−２１、発信先コード７０−２２、送信モード７０−２３、アラーム番号７０−２４が含まれる。発信元コード７０−２１は既述の発信元コード７０−１１、発信先コード７０−２２は既述の発信先コード７０−１２、送信モード７０−２３は受信した送信コード７０−１３から抽出されたデータに相当し、通常またはアラームであるものを選択する。アラーム番号７０−２４にはたとえば、給湯機８にアラームが生じていれば、そのアラームを特定する番号が明示される。
【００９１】
＜メモリ部５６−１の格納データ＞
図８のＡは、メモリ部５６−１に格納されるデータコード７０−１（図７のＡ）の一例を示している。ハイブリッド制御部５０−１のメモリ部５６−１には、給湯機８から受信したデータコード７０−１が格納される。
【００９２】
図８のＢは、メモリ部５６−１に設定された給湯機８の状態記憶部の一例を示している。この状態記憶部７０−３には、運転ＳＷ状態７０−３１、給湯状態７０−３２、回路状態７０−３３、アラーム番号７０−３４、ポンプ状態７０−３５などが含まれる。運転ＳＷ状態７０−３１は、運転ＳＷのオン、オフ状態が格納される。給湯状態７０−３２には給湯の有無が格納される。回路状態７０−３３には回路の異常の有無が格納される。アラーム番号７０−３４にはデータコード７０−１から抽出されたデータコード７０−２（図７のＢ）のアラームを特定する番号情報が格納される。ポンプ状態７０−３５には給湯ポンプ２８−２の異常の有無が格納される。
【００９３】
図８のＣは、メモリ部５６−１に格納されるデータコード７０−２（図７のＢ）の一例を示している。ハイブリッド制御部５０−１のメモリ部５６−１には、給湯機８から受信したデータコード７０−１から抽出したデータコード７０−２が（図７のＢ）が格納される。
【００９４】
＜異常情報＞
この給湯機８の状態記憶部７０−３における回路状態７０−３３、ポンプ状態７０−３５は給湯機８の状態監視モードまたは給湯機８の蓄熱制御モードの実行中に記憶すればよい。
【００９５】
（ａ）  給湯ポンプ２８−２の駆動または停止時、ポンプ回転異常の有無をポンプ状態７０−３５に記憶する。給湯ポンプ２８−２の異常パターンは次の通りである。
ａ−１  給湯ポンプ２８−２のポンプ停止中にパルス検出があれば、ポンプ異常とする。
ａ−２  給湯ポンプ２８−２を起動しても、ポンプ駆動を表すパルス検出がなければ、ポンプ異常とする。
ａ−３  給湯ポンプ２８−２の駆動中、ポンプ回転数が所定回転数にならなければ、ポンプ異常とする。
【００９６】
（ｂ）  給湯ポンプ２８−２の駆動中に給湯状態７０−３２が" 給湯停止中" であれば、状態記憶部７０−３の回路状態７０−３３に" 回路異常有り" を格納し、動作異常を記録する。
【００９７】
＜温度条件＞
この実施例のハイブリッド制御、給湯制御、連係制御、給湯機８の状態監視、ＨＰ６の蓄熱制御、給湯機８の蓄熱制御およびこれらに付随する制御で用いる一例としての温度条件は以下の通りである。
【００９８】
ａ）システム給湯設定温度（Tset）：ハイブリッド給湯システムから提供する湯温の設定値である。この設定値の最高温度はたとえば、７５〔℃〕である。
【００９９】
ｂ）貯留温度は蓄熱温度の一例であり、ＨＰ加熱後温度（TH）である。この貯留温度は設定温度Tsetに一定温度たとえば、５〔℃〕を加えた値である。この貯留温度の最低値はたとえば、６５〔℃〕である。
【０１００】
ｃ）給湯機加熱後温度は、設定温度（Tset）に一定温度たとえば、１０〔℃〕を加えた値である。この給湯機加熱後温度の最低値はたとえば、７０〔℃〕であり、最高値はたとえば、８０〔℃〕である。
【０１０１】
ｄ）加熱開始基準は、温度センサ１８−１の検出温度Ｔ１に対する設定温度（Ts）はシステム給湯設定温度に一定温度たとえば、３〔℃〕を加算した値である。
【０１０２】
ｅ）加熱停止基準は、温度センサ１８−２の検出温度Ｔ２である。
【０１０３】
ｆ）ＨＰ６のオーバーヒート温度は一定温度たとえば、４８〔℃〕である。
【０１０４】
ｇ）ＨＰ６の加熱開始基準は、温度センサ１８−４の検出温度に対し、設定温度（TM）としてたとえば、ＨＰ６のオーバーヒート温度は一定温度たとえば、４８〔℃〕から一定温度たとえば、３〔℃〕を減算した値である４５〔℃〕とすればよい。
【０１０５】
ｈ）ＨＰ６の加熱停止基準は、温度センサ１８−９の検出温度を基準とすればよい。
【０１０６】
＜ハイブリッド制御＞
図９は、ハイブリッド制御のメインルーチンの処理手順を示している。
【０１０７】
このハイブリッド制御は、ハイブリッド制御部５０−１で実行されるメインルーチンである。このハイブリッド制御は、電源の投入（Ｓ２０１）で開始され、初期設定（イニシャライズ）が開始される（Ｓ２０２）。
【０１０８】
このイニシャライズの後、並列処理に移行する（Ｓ２０３）。この並列処理には、給湯制御（Ｓ２０４）、連係制御（Ｓ２０５）、給湯機８の状態監視（Ｓ２０６）、ＨＰ６の蓄熱制御（Ｓ２０７）、給湯機８の蓄熱制御（Ｓ２０８）が含まれる。
【０１０９】
＜給湯制御＞
図１０は、給湯制御の処理手順の一例を示している。この処理手順は給湯プログラムにより実行される処理や、給湯方法の一例である。
【０１１０】
給湯時、給水の有無を水量センサ２４−１のオン、オフで判定する（Ｓ３０１）。この給水は給湯に連動しており、給湯時、タンク１０に給水が行われる。この水量センサ２４−１がオンでなければ（Ｓ３０１のＮＯ）、給水開始まで待機する。
【０１１１】
水量センサ２４−１がオンであれば（Ｓ３０１のＹＥＳ）、貯湯ユニット４ではフィード・フォワード（ＦＦ）制御が実行される（Ｓ３０２）。このＦＦ制御では、温度センサ１８−６、１８−８の検出温度を参照し、給湯設定温度に応じてミキシング弁２３−１２の開度比率を調整する。温度センサ１８−６はタンク１０から出湯される温水ＨＷの出湯温度Ｔ６を検出し、温度センサ１８−８はタンク１０に対する上水Ｗの給水温度Ｔ８を検出する。
【０１１２】
このＦＦ制御の開始の後、ミキシング弁２３−１２の動作の完了を待機する（Ｓ３０３）。このミキシング弁２３−１２の動作完了に呼応し、フィード・バック（ＦＢ）制御が実行される（Ｓ３０４）。このＦＢ制御では、温度センサ１８−７の検出温度を参照し、給湯設定温度に応じてミキシング弁２３−１２の開度比率を調整する。温度センサ１８−７はタンク１０から出湯される温水ＨＷと水Ｗの混合水温度Ｔ７を検出する。
【０１１３】
再び給水の有無を判定する（Ｓ３０５）。給水があれば（Ｓ３０５のＹＥＳ）、給湯需要に応ずるため、ＦＢ制御（Ｓ３０４）の継続と給水の判定を継続して行う。
【０１１４】
そして、給水が終了すれば（Ｓ３０５のＮＯ）、給湯終了につき、Ｓ３０１に戻り、Ｓ３０１〜Ｓ３０５の各処理を継続して行う。
【０１１５】
＜連係制御＞
図１１は、連係制御の処理手順を示している。この連係制御は、貯湯ユニット４の外部機器であるＨＰ６、給湯機８およびリモコン装置５２の通信によるデータの授受を行う。この連係制御を開始するとリモコン装置５２と送受信を行い（Ｓ４０１）、給湯機８に状態を問い合わせる（Ｓ４０２）。給湯機８の応答を判断し（Ｓ４０３）、給湯機８から応答があれば（Ｓ４０３のＹＥＳ）、給湯機８の状態を記憶する（Ｓ４０４）。
【０１１６】
次に、ＨＰ６の状態を問い合わせ（Ｓ４０５）、ＨＰ６の応答を判断し（Ｓ４０６）、ＨＰ６から応答があれば（Ｓ４０６のＹＥＳ）、ＨＰ６の状態を記憶し（Ｓ４０７）、Ｓ４０１に戻る。
【０１１７】
＜給湯機８の状態監視＞
図１２は、給湯機８の状態監視の処理手順を示している。この処理手順では、前回給湯の蓄熱動作および故障診断から所定時間たとえば、２４時間が経過したかを判断する（Ｓ５０１）。
【０１１８】
所定時間である２４時間が経過していれば（Ｓ５０１のＹＥＳ）、ＨＰ６の駆動指示があるかを判断する（Ｓ５０２）。駆動指示があるまで待機し（Ｓ５０２のＮＯ）、駆動指示があれば（Ｓ５０２のＹＥＳ）、検出温度Ｔ２が所定温度たとえば、７０〔℃〕以下であるかを判断する（Ｓ５０３）。Ｔ２≦７０〔℃〕であれば（Ｓ５０３のＹＥＳ）、給湯ポンプ２８−２を所定回転数たとえば、４５００〔ｒｐｍ〕、給湯機８に所定温度たとえば、８０〔℃〕を要求する（Ｓ５０４）。Ｓ５０３で、Ｔ２≦７０〔℃〕でなければ（Ｓ５０３のＮＯ）、Ｓ５０１に戻る。
【０１１９】
給湯ポンプ２８−２を所定回転数４５００〔ｒｐｍ〕、給湯機８に所定温度８０〔℃〕を要求した時点で、給湯機８が正常かを判断する（Ｓ５０５）。つまり、アラームコードが発せられているかを判断する。正常であれば（Ｓ５０５のＹＥＳ）、所定時間たとえば、３〔分〕だけ待機し（Ｓ５０６のＹＥＳ）、給湯ポンプ２８−２を停止し、給湯機８に通常蓄熱温度の要求を行い（Ｓ５０７）、Ｓ５０１に戻る。
【０１２０】
Ｓ５０５において、正常でなければ（Ｓ５０５のＮＯ）、Ｓ５０６をスキップし、Ｓ５０７の処理を実行し、Ｓ５０１に戻る。
【０１２１】
＜ＨＰ６の蓄熱制御＞
図１３は、ＨＰ６の蓄熱制御の処理手順を示している。この処理手順では、ＨＰ６が動作可能かを判定する（Ｓ６０１）。動作可能であれば（Ｓ６０１のＹＥＳ）、温度センサ１８−４の検出温度Ｔ４が下限基準温度ＴＭ未満か（Ｔ４＜ＴＭ）を判定する（Ｓ６０２）。下限基準温度ＴＭは、ＨＰ６がオーバーヒートする温度から一定温度としてたとえば、３〔℃〕だけ低い温度であり、ＴＭ＝４５〔℃〕を設定している。
【０１２２】
Ｔ４＜ＴＭであれば（Ｓ６０２のＹＥＳ）、加熱水切替弁２２−７をリターン（バイパス路３０−３）側に切り替え、ＨＰポンプ２８−１の回転数Ｎｆを一定回転数としてたとえば、Ｎｆ＝２０００〔ｒｐｍ〕に設定し、ＨＰ６を起動する（Ｓ６０３）。
【０１２３】
このＨＰ６の起動の後、温度センサ１８−１０の検出温度Ｔ１０が一定温度ＴＬ以上か（Ｔ１０≧ＴＬ）を判定する（Ｓ６０４）。この例では、ＨＰ６がオーバーヒートする温度から一定温度としてたとえば、−５〔℃〕だけ低い温度であり、ＴＬ＝４３〔℃〕を設定している。Ｔ１０≧ＴＬでなければ（Ｓ６０４のＮＯ）、Ｓ６０１に戻り、Ｓ６０１〜Ｓ６０４の処理を実行する。
【０１２４】
Ｔ１０≧ＴＬであれば（Ｓ６０４のＹＥＳ）、加熱水切替弁２２−７をタンク１０側に切り替え（Ｓ６０５）、給湯機８が正常かを判定する（Ｓ６０６）。この判定では、給湯機８の状態記憶部７０−３における回路状態７０−３３、アラーム番号７０−３４、ポンプ状態７０−３５の記憶内容を確認し、正常か否かを判定する。給湯機８が正常であれば（Ｓ６０６のＹＥＳ）、ＴＨ＝システム給湯設定温度＋５〔℃〕に設定し（Ｓ６０７）、また、給湯機８が正常でなければ（Ｓ６０６のＮＯ）、ＴＨ＝９０〔℃〕に設定する（Ｓ６０８）。
【０１２５】
温度センサ１８−１０の検出温度Ｔ１０または温度センサ１８−１３の検出温度Ｔ１３が一定温度ＴＨ以上か（Ｔ１０≧ＴＨまたはＴ１３≧ＴＨ）を判定する（Ｓ６０９）。この場合、出湯路２０−１の出湯温度であるシステム給湯設定温度が所定温度としてたとえば、６０〔℃〕以下であれば、ＴＨ＝６５〔℃〕に設定し、それ以外の場合には、ＴＨ＝システム給湯設定温度＋５〔℃〕に設定する。この温度判定に用いる温度センサ１８−１０、１８−１３のいずれでもよいが、ＨＰ６の応答重視からすれば、温度センサ１８−１３の検出温度Ｔ１３を使用すればよい。
【０１２６】
Ｔ１０≧ＴＨまたはＴ１３≧ＴＨであれば（Ｓ６０９のＹＥＳ）、ＨＰポンプ２８−１の回転数を増加する（Ｓ６１０）。また、Ｔ１０≧ＴＨまたはＴ１３≧ＴＨでなければ（Ｓ６０９のＮＯ）、ＨＰポンプ２８−１の回転数を減少させる（Ｓ６１１）。ただし、ＨＰポンプ２８−１の回転数は最低回転数としてたとえば、５００〔ｒｐｍ〕とする。
【０１２７】
このＨＰポンプ２８−１の回転数の増減の後、温度センサ１８−９の検出温度Ｔ９がＴＭ以上か（Ｔ９≧ＴＭ）を判定する（Ｓ６１２）。この場合、ＨＰ６がオーバーヒートする温度より一定温度としてたとえば、３〔℃〕だけ低い温度であり、ＴＭ＝４５〔℃〕である。
【０１２８】
Ｔ９≧ＴＭでなければ（Ｓ６１２のＮＯ）、ＨＰ６が動作中かを判定する（Ｓ６１３）。ＨＰ６が駆動中であれば（Ｓ６１３のＹＥＳ）、Ｓ６０６に戻り、Ｓ６０６〜Ｓ６１３の処理を継続する。
【０１２９】
そして、Ｓ６０１において、ＨＰ６が動作可能でなければ（Ｓ６０１のＮＯ）、Ｓ６０２でＴ４＜ＴＭでなければ（Ｓ６０２のＮＯ）、Ｓ６１２でＴ９≧ＴＭであれば（Ｓ６１２のＹＥＳ）、加熱水切替弁２２−７をリターン（バイパス路２６−３）側に切り替え、ＨＰポンプ２８−１を停止し、ＨＰ６を停止させ（Ｓ６１４）、Ｓ６０１に戻る。
【０１３０】
＜給湯機８の蓄熱制御＞
図１４は、給湯機８の蓄熱制御の処理手順を示している。この処理手順では、リモコン装置５２が動作しているかを判定する（Ｓ７０１）。リモコン装置５２が動作していれば（Ｓ７０１のＹＥＳ）、給湯機８が正常かを判定する（Ｓ７０２）。この場合、状態記憶部７０−３の回路状態７０−３３（図８のＢ）、アラーム番号７０−３４およびポンプ状態７０−３５の格納データを確認し、給湯機８の異常の有無および異常内容を判定すればよい。給湯機８が正常であれば（Ｓ７０２のＹＥＳ）、温度センサ１８−１の検出温度Ｔ１が比較温度ＴＳとしてたとえば、６３〔℃〕未満（Ｔ１＜ＴＳ１）であるか判定する（Ｓ７０３）。
【０１３１】
この場合、給湯設定温度がたとえば、６０〔℃〕以下であれば、ＴＳ１＝６３〔℃〕に設定し、それ以外は給湯設定温度より一定温度たとえば、＋３〔℃〕に設定すればよい。給湯機８は給湯設定温度より所定温度たとえば、１０〔℃〕だけ高い温度に加熱し、給湯機８の最大温度は８０〔℃〕とする。
【０１３２】
そこで、システム給湯設定温度はたとえば、６０〔℃〕以下、６５〔℃〕、７０〔℃〕、７５〔℃〕の温度設定とする。温度センサ１８−１の検出温度Ｔ１の判定では、システム給湯設定温度が６０〔℃〕以下であれば、ＴＳ１＝６３〔℃〕、システム給湯設定温度が６５〔℃〕であれば、ＴＳ１＝６８〔℃〕、システム給湯設定温度が７０〔℃〕であれば、ＴＳ１＝７３〔℃〕、システム給湯設定温度が７５〔℃〕であれば、ＴＳ１＝７８〔℃〕に設定する。
【０１３３】
Ｔ１＜ＴＳ１であれば（Ｓ７０３のＹＥＳ）、タンク１０側に給水が発生したかを判定する（Ｓ７０４）。水量センサ２４−１の検出流量とミキシング弁２３−１２の分配比率によりタンク給水の有無を判定することができる。タンク給水が発生していなければ（Ｓ７０４のＮＯ）、給湯ポンプ２８−２を給湯機８の最小燃焼流量たとえば、３〔リットル／分〕を確保可能な回転数にする（Ｓ７０６）。これにより、給湯機８の動作時間を確保し、また、給湯機８の燃焼量を最小燃焼量に抑えることができる。
【０１３４】
タンク１０側に給水が発生していれば（Ｓ７０４のＹＥＳ）、給湯ポンプ２８−２の回転数を設定回転数に制御する（Ｓ７０５）。
【０１３５】
給湯ポンプ２８−２の設定回転数は、水量センサ２４−１の検出水量と、ミキシング弁２３−１２の分配比率によるタンク１０への給水量を演算して算出すればよい。この演算値を基準とした流量になるように給湯ポンプ２８−２の回転数を制御すればよい。これにより、給湯使用分の流量を確保することができる。
【０１３６】
Ｓ７０５またはＳ７０６の処理の後、温度センサ１８−１０の検出温度Ｔ１０が正常かを判定する（Ｓ７０７）。この場合、検出温度Ｔ１０が正常であるか否かの判断には、配管の長さを考慮し、配管放熱などの外的要素を加味した検出遅延時間を設定すれば、判断精度を向上させることができる。この場合、判定温度は設定温度に対してある程度の余裕をとることが必要である。
【０１３７】
温度センサ１８−１０の検出温度Ｔ１０が正常であれば（Ｓ７０７のＹＥＳ）、温度センサ１８−２の検出温度Ｔ２が比較温度ＴＳ２以上であるか（Ｔ２≧ＴＳ２）を判定する（Ｓ７０８）。この場合、既述のシステム給湯設定温度ＴＨはたとえば、６０〔℃〕以下、６５〔℃〕、７０〔℃〕、７５〔℃〕の温度設定とすれば、給湯機８の戻り管２６−２からの出湯設定温度は、ＴＨ＝６０〔℃〕以下：７０〔℃〕、ＴＨ＝６５〔℃〕：７５〔℃〕、ＴＨ＝７０または７５〔℃〕：８０〔℃〕に設定する。これにより、温度センサ１８−２の検出温度Ｔ２の判定では、システム給湯設定温度が６０〔℃〕以下であれば、ＴＳ２＝６３〔℃〕、システム給湯設定温度が６５〔℃〕であれば、ＴＳ２＝６８〔℃〕、システム給湯設定温度が７０〔℃〕であれば、ＴＳ２＝７３〔℃〕、システム給湯設定温度が７５〔℃〕であれば、ＴＳ２＝７８〔℃〕に設定すればよい。この実施例では、ＴＳ１＝ＴＳ２に設定されている。
【０１３８】
Ｓ７０７で温度センサ１８−１０の検出温度Ｔ１０が正常でなければ（Ｓ７０７のＮＯ）、給湯機８は異常である（Ｓ７０９）。
【０１３９】
Ｔ２≧ＴＳ２でなければ（Ｓ７０８のＮＯ）、Ｓ７０４に戻り、Ｓ７０４〜Ｓ７０８の処理を継続する。
【０１４０】
そして、Ｔ２≧ＴＳ２であれば（Ｓ７０８のＹＥＳ）、給湯ポンプ２８−２を停止し（Ｓ７１０）、Ｓ７０１に戻り、処理を継続する。
【０１４１】
＜異常監視＞
図１５のＡは異常監視における故障診断を含む処理の状態遷移を示している。
【０１４２】
この状態遷移には初期状態（Ｓ１）、タイマカウントアップの状態（Ｓ２）、故障診断の状態（Ｓ３）、給湯機燃焼の状態（Ｓ４）、タイマリセットの状態（Ｓ５）および異常の状態（Ｓ６）が含まれる。
【０１４３】
初期状態（Ｓ１）では電源投入を契機にタイマカウントアップの状態（Ｓ２）に遷移する。このカウントアップでは、給湯機８の休止状態の時間を計測し、たとえば、２４〔時間〕を計測する。休止状態が２４〔時間〕経過すると、故障診断の状態（Ｓ３）に遷移する。
【０１４４】
タイムカウント中に給湯機８の燃焼があれば、給湯機８の燃焼状態（Ｓ４）に遷移する。この燃焼状態では、給湯機８を燃焼状態にし、温水切れを回避するため、給湯需要に対応する。この燃焼を停止すれば、タイマリセットの状態（Ｓ５）に遷移する。
【０１４５】
故障診断中に給湯機８が燃焼していれば、給湯機８の燃焼状態（Ｓ４）に遷移し、燃焼を停止すれば、タイマリセットの状態（Ｓ５）に遷移する。
【０１４６】
故障診断では、給湯機８が正常であれば、タイマリセットの状態（Ｓ５）に遷移し、異常があれば、異常の状態（Ｓ６）に遷移する。異常時、給湯機８の異常を報知する。
【０１４７】
この異常の状態（Ｓ６）から異常状態の解除により、タイマリセットの状態（Ｓ５）に遷移し、この状態からタイマカウントアップの状態（Ｓ２）に戻る。
【０１４８】
このような状態遷移を繰り返し、給湯機８の燃焼、その停止とともに異常監視として給湯機８の故障診断が行われる。
【０１４９】
図１５のＢは、故障診断の詳細を表す状態遷移を示している。故障診断（Ｓ３）では、初期状態（Ｓ３１）から診断開始（Ｓ３２）または待機状態（Ｓ３３）に移行する。待機状態（Ｓ３３）が解除されると診断開始（Ｓ３２）に遷移する。
【０１５０】
診断開始では、給湯機８からの情報などにより、正常の状態（Ｓ３４）、異常の状態（Ｓ３５）が判定され、給湯機８が燃焼していれば、給湯機８の燃焼の状態（Ｓ３６）に遷移する。この場合、初期状態（Ｓ３１）、待機状態（Ｓ３３）から給湯機８の燃焼が認められれば、給湯機８の燃焼の状態（Ｓ３６）に遷移する。
【０１５１】
図１６は、故障診断の処理手順の一例を示している。故障診断モードに移行すると、故障診断を開始し（Ｓ７５１）、給湯ポンプ２８−２を回転数たとえば、４５００〔ｒｐｍ〕で運転し、給湯機８の給湯機制御部５０−３に対し、出湯温度としてたとえば、８０〔℃〕を要求し（Ｓ７５２）、給湯機８の燃焼センサから動作電流値、および温度センサ１８−１９の検出温度Ｔ１９のデータ要求をする（Ｓ７５３）。この動作電流値が燃焼状態を示し、温度センサ１８−１９の検出温度Ｔ１９が所定温度たとえば、８０〔℃〕であれば正常と判断し、いずれかが未検出であれば異常と判断する（Ｓ７５４）。
【０１５２】
所定時間たとえば、１〔分〕程度の動作を継続し、給湯機８とタンク１０の間で温水循環を行い、給湯機８側の滞留水をタンク１０に帰還させる（Ｓ７５５）。
【０１５３】
そして、給湯機８に対して燃焼センサの動作電流値や、温度センサ１８−１９の検出温度Ｔ１９のデータ要求動作を解除し（Ｓ７５６）、Ｓ７５１に戻る。
【０１５４】
このような故障診断の動作を行えば、給湯機８側の故障診断とともに、給湯機８や管路内の滞留水を放置することなく、タンク１０に戻すことができる。
【０１５５】
＜蓄熱モードの切替え＞
図１７のＡは、給湯機８が正常である場合の第１の蓄熱モードの一例を示している。
【０１５６】
この第１の蓄熱モードでは、タンク１０の蓄熱温度がたとえば、６５〔℃〕に設定され、ＨＰ６の優先的かつ継続的な稼働状態の維持に対し、正常な給湯機８が稼働状態または休止状態を繰り返す。つまり、通常の動作モードとなる。
【０１５７】
図１７のＢは、給湯機８が異常である場合の第２の蓄熱モードの一例を示している。
【０１５８】
この第２の蓄熱モードでは、タンク１０の蓄熱温度が最高温度であるたとえば、９０〔℃〕に設定される。ＨＰ６の優先的かつ継続的な稼働状態の維持に対し、異常が生じた給湯機８は停止状態となる。つまり、給湯機８からの補助的な蓄熱機能が得られないので、ＨＰ６のみの稼働状態となる。つまり、特殊な動作モードとなる。
【０１５９】
このような蓄熱モードでは、タンク１０の蓄熱温度が高温化するので、温水ＨＷの消費量を節減でき、温水切れまでの時間を延長することが可能となる。
【０１６０】
＜第１実施例の効果＞
【０１６１】
上記実施例によれば、次の効果が得られる。
【０１６２】
(1)   １日の給湯消費量相当の貯湯タンクを必要とせず、小容量のタンクでありながら、加熱効率の高いヒートポンプを有効利用した給湯システム２を実現することができる。
【０１６３】
(2) ＨＰ６を優先的かつ継続的に使用するため、給湯消費状況によっては給湯機８が長期に休止状態となる場合、未使用の継続で、その休止中に発生する給湯機８の異常を検知できないという不都合を回避でき、給湯機８の異常によって給湯消費に影響するという不測の事態を回避できる。
【０１６４】
(3) 休止中の給湯機８や給湯配管内に滞留する水の滞留時間を給湯機８の定期的な稼働によって短縮することができる。
【０１６５】
(4) 給湯機８が最終的な稼動停止から一定時間が経過すると、給湯ポンプ２８−２を強制的に駆動し、給湯機８側から残留水をタンク１０に帰還させる。これにより、滞留水の滞留時間を短縮できる。
【０１６６】
(5) 貯湯ユニット４と給湯機８のデータ通信により、給湯機８が状態情報を送信し、この状態情報を貯湯ユニット４のハイブリッド制御部５０−１で受信し、その状態を把握することができる。そして、この状態情報を表示する。
【０１６７】
(6) 給湯機８や給湯ポンプ２８−２などに異常がなければ、再度一定時間の計測時間に入るので、状態監視が給湯制御運転に何らの影響を及ぼすものではない。
【０１６８】
(7) 異常が生じている場合には、その旨を表示や音にて報知するとともにＨＰ６の制御内容を変更し、湯切れ状態が生じるのを未然に防止できる。
【０１６９】
(8) 上記実施例においても、給湯需要により、タンク１０の温水温度が低下すれば、タンク１０の下層水をＨＰ６に循環させて加熱し、ＨＰ６の蓄熱制御によりタンク１０の高温範囲を拡大することができる。また、タンク１０の中層水を給湯機８に循環させて加熱し、給湯機８の蓄熱制御によりタンク１０の高温範囲を拡大させることができる。これにより、給湯および給水によるタンク１０の温度低下を解消し、急増する給湯需要に応じることができる。
【０１７０】
(9) 給湯機８の蓄熱制御により、ＨＰ６の加熱能力を補完することができるので、給湯需要が変化しても出湯温度が変動することがなく、安定した出湯温度を実現することができる。
【０１７１】
(10)  タンク１０の温水加熱をＨＰ６と給湯機８に分担させることができ、両者を以て相補的な加熱動作ができる。給湯機８では中層水をタンク１０から流出させて加熱するので、給湯需要に応じた加熱動作を実現でき、タンク１０の容量を必要最小容量に抑えることができ、ＨＰ６および給湯機８の相補的な加熱動作でタンク１０の大容量化を回避できる。
【０１７２】
(11)  タンク１０の温水加熱をＨＰ６と給湯機８とに加熱分担させるので、ＨＰ６および給湯機８の各加熱能力を抑制でき、タンク１０、ＨＰ６および給湯機８の小型化および小容量化を実現でき、給湯システム２のコンパクト化を図ることができる。
【０１７３】
(12)  給湯機８はＨＰ６に比較して加熱能力が高く、ＨＰ６は給湯機８に対して加熱効率が高いので、これらの特性を相補的に生かして給湯システム２の高効率化を実現できる。
【０１７４】
(13)  上記実施例では給湯によりタンク１０の上層側温度が急激に下降したり、これに対応してＨＰ６の動作によりタンク１０の上層側温度が変動したりすると、上層側温度の下降に対応して、給湯機８を動作させ、タンク１０の上層側温度を上昇させ、これにより安定した給湯温度を実現することができる。この場合、給湯量に対応してタンク１０に給水し、不足熱量をＨＰ６で補填し、ＨＰ６の加熱不足分を給湯機８による給湯によって補填することができる。つまり、給湯によって不足した熱量がＨＰ６および給湯機８の協調動作によって補填でき給湯温度の安定化を実現できる。
【０１７５】
〔第２実施例〕
図１８は、第２実施例に係る給湯機の状態監視の処理手順を示している。第１実施例では図１２に示すように、給湯機８のみの状態を監視しているが、第２実施例では給湯機８の状態監視に加え、給湯ポンプ２８−２の回転状態まで状態監視を拡大し、これに伴う処理を含んでいる。
【０１７６】
この処理手順では、前回給湯の蓄熱動作および故障診断から所定時間たとえば、２４時間が経過したかを判断する（Ｓ８０１）。所定時間である２４時間が経過していれば（Ｓ８０１のＹＥＳ）、ＨＰ６の駆動指示があるかを判断する（Ｓ８０２）。駆動指示があるまで待機し（Ｓ８０２のＮＯ）、駆動指示があれば（Ｓ８０２のＹＥＳ）、検出温度Ｔ２が所定温度たとえば、７０〔℃〕以下であるかを判断する（Ｓ８０３）。Ｔ２≦７０〔℃〕であれば（Ｓ８０３のＹＥＳ）、給湯ポンプ２８−２を所定回転数たとえば、４５００〔ｒｐｍ〕、給湯機８に所定温度たとえば、８０〔℃〕を要求する（Ｓ８０４）。Ｓ８０３で、Ｔ２≦７０〔℃〕でなければ（Ｓ８０３のＮＯ）、Ｓ８０１に戻る。
【０１７７】
給湯ポンプ２８−２を所定回転数４５００〔ｒｐｍ〕、給湯機８に所定温度８０〔℃〕を要求した時点で、給湯機８が正常かを判断する（Ｓ８０５）。つまり、アラームコードが発せられているかを判断する。
【０１７８】
給湯機８が正常であれば（Ｓ８０５のＹＥＳ）、給湯ポンプ２８−２の回転が正常かを判断する（Ｓ８０６）。給湯ポンプ２８−２の回転が正常であれば（Ｓ８０６のＹＥＳ）、給湯機８の状態は待機（休止状態）かを判断する（Ｓ８０７）。この場合、状態記憶部７０−３の回路状態７０−３３に給湯状態の確認を行い、待機状態であれば待機状態を表すコードを記憶する。
【０１７９】
給湯器８の回路に異常があれば、その異常を記憶する（Ｓ８０８）。つまり、給湯機８が休止状態であるにも拘らず、給湯ポンプ２８−２が回転状態であれば、異常状態であるから、回路状態７０−３に" 回路異常有り" を格納する。
【０１８０】
Ｓ８０６で給湯ポンプ２８−２の回転が正常でなければ（Ｓ８０６のＮＯ）、ポンプ状態７０−３５（図８のＢ）にポンプ異常有りを記憶する（Ｓ８０９）。
【０１８１】
これらＳ８０５〜Ｓ８０９の処理を所定時間で行い、この所定時間としてたとえば、３〔分〕が経過したかを判断する（Ｓ８１０）。
【０１８２】
そして、給湯ポンプ２８−２を停止し、給湯機８に通常の蓄熱温度の要求を行い（Ｓ８１１）、Ｓ８０１に戻る。
【０１８３】
Ｓ８０５において、正常でなければ（Ｓ８０５のＮＯ）、Ｓ８０６〜Ｓ８１０をスキップし、Ｓ８１１の処理を実行し、Ｓ８０１に戻る。
【０１８４】
このような処理によれば、給湯機８だけでなく、給湯機８に加えて給湯ポンプ２８−２の状態を監視でき、給湯機８側の回路異常も監視し、その表示を行うことができる。
【０１８５】
〔第３実施例〕
図１９は、第３実施例に係る給湯機８の状態監視の処理手順を示している。第３実施例では第２実施例と同様に、給湯機８の状態監視に加え、給湯ポンプ２８−２の回転状態まで状態監視を拡大し、これに伴う処理を含み、かつ、給湯機８が正常でない場合でも所定時間だけ給湯機８側からタンク１０に給湯する処理を含んでいる。
【０１８６】
この処理手順では、第２実施例の処理と同様であるので、同一符号を付して処理の共通性を示してその説明を割愛するとともに、給湯機８が正常でなければ（Ｓ８０５のＮＯ）、Ｓ８０５からＳ８１０への遷移箇所を太線で示している。つまり、給湯機８が正常でない場合であっても、給湯機８からタンク１０への給湯を所定時間たとえば、３〔分間〕だけ継続する。
【０１８７】
このような処理によれば、給湯機８に異常があっても、給湯機８およびその給湯管路に滞留する水をタンク１０側に回収できるとともに、故障している給湯機８側にある水の滞留時間を短縮できる。
【０１８８】
〔第４実施例〕
図２０は、第４実施例に係る給湯機の蓄熱制御の処理手順を示している。この処理手順では、リモコン装置５２が動作しているかを判定する（Ｓ９０１）。リモコン装置５２が動作していれば（Ｓ９０１のＹＥＳ）、給湯機８が正常かを判定する（Ｓ９０２）。給湯機８が正常であれば（Ｓ９０２のＹＥＳ）、温度センサ１８−１の検出温度Ｔ１が比較温度ＴＳ１としてたとえば、６３〔℃〕未満（Ｔ１＜ＴＳ１）であるか判定する（Ｓ９０３）。この場合、既述のとおり、給湯設定温度がたとえば、６０〔℃〕以下であれば、ＴＳ１＝６３〔℃〕に設定し、それ以外は給湯設定温度より一定温度たとえば、＋３〔℃〕に設定すればよい。給湯機８は給湯設定温度より所定温度たとえば、１０〔℃〕だけ高い温度に加熱し、給湯機８の最大温度は８０〔℃〕とする。
【０１８９】
システム給湯設定温度がたとえば、６０〔℃〕以下、６５〔℃〕、７０〔℃〕、７５〔℃〕の温度設定とする。温度センサ１８−１の検出温度Ｔ１の判定では、システム給湯設定温度が６０〔℃〕以下であれば、ＴＳ１＝６３〔℃〕、システム給湯設定温度が６５〔℃〕であれば、ＴＳ１＝６８〔℃〕、システム給湯設定温度が７０〔℃〕であれば、ＴＳ１＝７３〔℃〕、システム給湯設定温度が７５〔℃〕であれば、ＴＳ１＝７８〔℃〕に設定すればよい。
【０１９０】
Ｔ１＜ＴＳ１であれば（Ｓ９０３のＹＥＳ）、タンク１０側に給水が発生したかを判定する（Ｓ９０４）。水量センサ２４−１の検出流量とミキシング弁２３−１２の分配比率によりタンク給水の有無を判定することができる。タンク給水が発生していなければ（Ｓ９０４のＮＯ）、給湯ポンプ２８−２を給湯機８の最小燃焼流量たとえば、３〔リットル／分〕を確保可能な回転数にする（Ｓ９０５）。これにより、給湯機８の動作時間を確保し、また、給湯機８の燃焼量を最小燃焼量に抑えることができる。
【０１９１】
タンク１０側に給水が発生していれば（Ｓ９０４のＹＥＳ）、給湯ポンプ２８−２の回転数を設定回転数に制御する（Ｓ９０６）。
【０１９２】
給湯ポンプ２８−２の設定回転数は、水量センサ２４−１の検出水量と、ミキシング弁２３−１２の分配比率によるタンク１０への給水量を演算して算出すればよい。この演算値を基準とした流量になるように給湯ポンプ２８−２の回転数を制御すればよい。これにより、給湯使用分の流量を確保することができる。
【０１９３】
Ｓ９０５またはＳ９０６の処理の後、給湯ポンプ２８−２の回転が正常かを判定する（Ｓ９０７）。正常であれば（Ｓ９０７のＹＥＳ）、温度センサ１８−１０の検出温度Ｔ１０が正常かを判定する（Ｓ９０８）。温度センサ１８−１０の検出温度Ｔ１０が正常であれば（Ｓ９０８のＹＥＳ）、温度センサ１８−２の検出温度Ｔ２が比較温度ＴＳ２以上であるか（Ｔ２≧ＴＳ２）を判定する（Ｓ９０９）。この場合、既述のシステム給湯設定温度ＴＨはたとえば、６０〔℃〕以下、６５〔℃〕、７０〔℃〕、７５〔℃〕の温度設定とすれば、給湯機８の戻り管２６−２からの出湯設定温度は、ＴＨ＝６０〔℃〕以下：７０〔℃〕、ＴＨ＝６５〔℃〕：７５〔℃〕、ＴＨ＝７０または７５〔℃〕：８０〔℃〕に設定する。これにより、温度センサ１８−２の検出温度Ｔ２の判定では、システム給湯設定温度が６０〔℃〕以下であれば、ＴＳ２＝６３〔℃〕、システム給湯設定温度が６５〔℃〕であれば、ＴＳ２＝６８〔℃〕、システム給湯設定温度が７０〔℃〕であれば、ＴＳ２＝７３〔℃〕、システム給湯設定温度が７５〔℃〕であれば、ＴＳ２＝７８〔℃〕に設定すればよい。
【０１９４】
Ｓ９０８で温度センサ１８−１０の検出温度Ｔ１０が正常でなければ（Ｓ９０８のＮＯ）、回路異常を記憶する（Ｓ９１０）。また、Ｓ９０７で給湯ポンプ２８−２の回転が正常でなければ（Ｓ９０７のＮＯ）、ポンプ状態７０−３５にポンプ異常有りを記憶する（Ｓ９１１）。
【０１９５】
Ｔ２≧ＴＳ２でなければ（Ｓ９０９のＮＯ）、Ｓ９０４に戻り、Ｓ９０４〜Ｓ９０８の処理を継続する。
【０１９６】
そして、Ｔ２≧ＴＳ２であれば（Ｓ９０９のＹＥＳ）、給湯ポンプ２８−２を停止し（Ｓ９１２）、Ｓ９０１に戻り、処理を継続する。
【０１９７】
この第４実施例によれば、給湯機８、給湯ポンプ２８−２、温度センサ１８−１０を含む状態の異常を監視し、湯切れ状態の防止やその早期発見を行うことができ、給湯システム２の信頼性を高めることができる。
【０１９８】
＜他の実施例および効果＞
(1) 給湯機８の循環流量について：上記実施の形態では、給湯機８の動作期間を検出温度によって制御しているが、検出温度によって動作を開始した後、給湯機８の循環流量を水量センサ２４−１の検出水量に応じて動作を終了させる制御としてもよい。
【０１９９】
(2) 給湯機８の動作時間について：上記実施の形態では、給湯機８の動作期間を検出温度によって制御しているが、検出温度によって動作を開始した後、給湯機８の動作時間をプロセッサ５４−１のタイマー機能を利用し、中層水の循環時間に応じて動作を終了させる制御としてもよい。
【０２００】
〔他の実施の形態〕
ａ) 上記実施の形態では、単一のＨＰ６と給湯機８を用いたが、複数の給湯機を併用してもよい。給湯機８には燃焼排気の潜熱を回収する高効率給湯機を用いてもよい。
【０２０１】
ｂ）上記実施の形態のＨＰ６と給湯機８の熱源機に加え、電熱による熱交換器を併用してもよい。
【０２０２】
以上の通り、本発明の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【０２０３】
本発明は、ヒートポンプなどの熱源機の加熱能力と給湯機などの熱源機の加熱能力の併用により、高効率で安定した給湯能力を持つ給湯システムを実現できるとともに、稼働状態と停止状態とを繰り返す熱源機の異常を休止中に監視でき、湯切れなどを未然に防止でき、給湯システムの信頼性を高めることができるなど、有用である。
【符号の説明】
【０２０４】
２  ハイブリッド給湯システム（給湯システム）
４  貯湯ユニット
６  ヒートポンプ（ＨＰ）
８  給湯機
１０  貯湯タンク
１２  状態監視手段
１３  情報表示手段
１４−１  出湯ポート
１４−２  底部に給水ポート
１４−３  水流出ポート
１４−４  水流出ポート
１４−５、１４−６  温水戻しポート
１６−１  第１の邪魔板
１６−２  第２の邪魔板
１８−１、１８−２、１８−３、１８−４、１８−５、１８−６、１８−７、１８−８、１８−９、１８−１０、１８−１１、１８−１２、１８−１３、１８−１４、１８−１５、１８−１６、１８−１７、１８−１８  温度センサ
２０−１  出湯路
２０−２  給水路
２０−３  バイパス路
２２−１  加圧逃がし弁
２２−２  混合水規制弁
２２−３  減圧弁
２２−４  給水逆止弁
２２−６  タンク逆止弁
２２−７  加熱水切替弁
２２−８  バルブ
２２−９  膨張弁
２３−１、２３−２  混合水制御弁
２３−１１、２３−２１  混合水規制弁
２３−１２、２３−２２  ミキシング弁
２４−１、２４−２  水量センサ
２６  ヒートポンプ循環路（第２の循環路）
２６−１  往き管
２６−２  戻り管
２６−３  バイパス路
２８−１  ＨＰポンプ
２８−２  給湯ポンプ
３０  給湯機循環路（循環路）
３０−１  往き管
３０−２  戻り管
３０−３  バイパス路
３２  ＨＰ回路
３４  ＨＰ熱交換器
３６  内部熱交換器
３８  空気熱交換器
４０  コンプレッサ
４４  ファン
４６−１  一次熱交換器
４６−２  二次熱交換器
４８  バーナ
５０−１  ハイブリッド制御部
５０−２  ヒートポンプ（ＨＰ）制御部
５０−３  給湯機制御部
５０−４  リモコン制御部
５２  リモコン装置
５４−１、５４−２、５４−３、５４−４  プロセッサ
５６−１、５６−２、５６−３、５６−４  メモリ部
５８−１、５８−２、５８−３、５８−４  システム通信部
６０−１、６０−２、６０−３、６０−４  入出力部（Ｉ／Ｏ）
６２  通信ケーブル
６４  入力スイッチ（ＳＷ）
６６  操作表示部
６８  情報表示部
７０−１、７０−２  データコード
７０−３  状態記憶部
７０−１１、７０−２１  発信元コード
７０−１２、７０−２２  発信先コード
７０−１３、７０−２３  送信モード
７０−１４  運転ＳＷコード
７０−１５  給湯コード
７０−２４  アラーム番号
７０−３５  ポンプ状態
【図１】
2019045145.tif 000003
【図２】
2019045145.tif 000004
【図３】
2019045145.tif 000005
【図４】
2019045145.tif 000006
【図５】
2019045145.tif 000007
【図６】
2019045145.tif 000008
【図７】
2019045145.tif 000009
【図８】
2019045145.tif 000010
【図９】
2019045145.tif 000011
【図１０】
2019045145.tif 000012
【図１１】
2019045145.tif 000013
【図１２】
2019045145.tif 000014
【図１３】
2019045145.tif 000015
【図１４】
2019045145.tif 000016
【図１５】
2019045145.tif 000017
【図１６】
2019045145.tif 000018
【図１７】
2019045145.tif 000019
【図１８】
2019045145.tif 000020
【図１９】
2019045145.tif 000021
【図２０】
2019045145.tif 000022